(57)【要約】【課題】コンピュータ機器が通信ネットワークに繋がっていない状態においても電源ＯＮ／ＯＦＦを一括して行うことができると共に、また、コンピュータ機器の電源ＯＮ／ＯＦＦに関わらずコンピュータ機器に関する管理データを一括して処理できるコンピュータ一括管理システムを提供すること。【解決手段】本実施の形態のコンピュータ機器一括管理システム１０においては、リーダライタ１から電源ＯＮ／ＯＦＦ要求を非接触通信で送信されると、コンピュータ機器１ａ、１ｂ、１ｎは、非接触型ＩＣ部２１のアンテナ４６により電源がＯＮ／ＯＦＦ状態であるか否かを判定し、次に、リーダライタ１が、コンピュータ機器１ａ、１ｂ、１ｎで対応している機器であるか否かを判定し、次に、電源ＯＦＦの要求を受け入れ可能な状態であるか否かを判定し、電源制御部２４に電源ＯＮ／ＯＦＦ信号を送信することにより、電源をＯＮ／ＯＦＦ状態とする。【選択図】図５
2007148967.tif 000002
【特許請求の範囲】
【請求項１】
アンテナを用いて非接触通信を行うコンピュータ機器と、前記コンピュータ機器に対して非接触通信により操作を行うための遠隔操作機器とを備えたコンピュータ機器一括管理システムにおいて、
前記コンピュータ機器は、
前記遠隔操作機器から送信された電源のＯＮ／ＯＦＦを要求する電源要求情報を受信したことに応じて、前記電源要求情報に付加された前記遠隔操作機器を識別するための操作識別情報に基づいて、前記遠隔操作機器が前記コンピュータ機器の電源のＯＮ／ＯＦＦ要求に対応しているか否かを判定する要求判定手段と、
前記要求判定手段が、前記遠隔操作機器が前記コンピュータ機器の電源のＯＮ／ＯＦＦ要求に対応していると判定した場合に、前記電源要求情報に従って、前記コンピュータ機器の電源のＯＮ／ＯＦＦ制御を行う電源制御手段と、
前記アンテナを通して外部から電力供給を受ける電力供給部と、
前記遠隔操作機器から送信された前記コンピュータ機器の電源管理に関する管理データを要求する管理要求情報に応じて、前記コンピュータ機器の電源のＯＮ／ＯＦＦ状態を判定する電源判定手段と、
前記電源判定手段が、前記コンピュータ機器の電源がＯＦＦ状態と判定した場合に、前記電力供給部が受けた電力を用いて前記管理データを前記遠隔操作機器に送信する管理送信手段とを備えたことを特徴とするコンピュータ機器一括管理システム。
【請求項２】
請求項１に記載のコンピュータ機器一括管理システムにおいて、
前記コンピュータ機器は、
前記電源制御手段が前記コンピュータ機器の電源をＯＦＦ状態とする際に、このＯＦＦ状態を通知するＯＦＦ通知情報を前記遠隔操作機器に送信するＯＦＦ通知手段を備え、
前記遠隔操作機器は、
前記コンピュータ機器から送信されたＯＦＦ通知情報に基づいて、電源がＯＦＦ状態となっているコンピュータ機器に対して電源のＯＮを要求する旨の電源要求情報を送信するＯＮ送信手段とを備えたことを特徴とするコンピュータ機器一括管理システム。
【発明の詳細な説明】
【技術分野】
【０００１】
本発明は、アンテナを用いて非接触通信を行うコンピュータ機器と、コンピュータ機器に対して非接触通信により操作を行うための遠隔操作機器とを備えたコンピュータ機器一括管理システムに関するものである。
【背景技術】
【０００２】
近年のコンピュータネットワークの発展により、パーソナルコンピュータやワークステーション等のコンピュータ機器はサーバ機器にとどまらずOA機器としても多数普及してきた。こうしたコンピュータ機器は一般的な家電製品とは異なり、製品の一部に設けられた電源ボタンの押下で電源を操作するのではなく、電源OFFを行うために各々のコンピュータ機器に対して、ディスプレイ等の表示画面上でキーボードまたはマウスによってコマンド入力またはボタン操作を行うようになっている。
【０００３】
これに対し、ネットワーク上に接続された各々のコンピュータ機器に対して一括電源ON/OFFするシステムとして、下記特許文献１、特許文献２に記載されている発明などが知られている。特許文献１に記載されている電源制御方法では、ＬＡＮだけでなく公衆回線に接続された管理対象コンピュータに対しても、管理コンピュータ上でネットワーク経由で電源制御を行いネットワークＯＳのリモート・アクセス機能によってエージェントを介して一括集中的に電源制御を行っている。特許文献２に記載されているリモート電源制御では、パーティション内の全てのノードによって認識されるか、あるいは全てのノードに共通するマジック・パケットによってパーティション全体にわたるリモート・リスタートを可能としている。
【０００４】
また、ネットワーク上に接続された各々のコンピュータ機器内に保持された管理データを取得する場合、取得対象の各々のコンピュータ機器のところまで作業者が移動し、そこでコンピュータ機器に接続されたディスプレイ装置を介して、ディスプレイ上で操作を行い管理データを取得する。
【０００５】
これに対し、各々のコンピュータ機器に対して、複数代の情報収集対象コンピュータに対してハードウェア情報やインストールソフトウェア情報をアプレットにより収集してデータベースとして登録することで一括で管理データを取得するシステムとして、下記特許文献３に記載されているコンピュータ管理情報収集システムなどが知られている。
【０００６】
【特許文献１】特開２００３−１５７１２８号公報
【特許文献２】特開２００５−２０７２８号公報
【特許文献３】特開２００３−５０７５４号公報
【発明の開示】
【発明が解決しようとする課題】
【０００７】
しかしながら、コンピュータ機器の電源ＯＮ／ＯＦＦを一括制御するためには、LAN（Local Area Network）や公衆回線などの通信ネットワークに各コンピュータ機器を接続して利用することが前提であり、通信ネットワーク障害や構成変更時でネットワーク上の接続を外した場合などにより、ネットワークを介して情報の送受信が行えずコンピュータ機器がネットワークに繋がっていない場合は電源ＯＮ／ＯＦＦ等の一括制御をすることができない。
【０００８】
また、コンピュータ機器から管理データを取得する場合は、その取得対象となるコンピュータ機器の電源がＯＮになっていることが前提として必要であるため、電源がＯＦＦ状態のコンピュータ機器は、一旦電源をＯＮする作業を行う必要がある。このようなコンピュータ機器がネットワーク上に大量に存在する場合には、一旦電源をＯＮするだけで膨大な時間を必要とすることになり、作業の負担が多大なものとなる。
【０００９】
本発明は、以上の問題点に鑑みてなされたものであり、その目的とするところは、コンピュータ機器が通信ネットワークに繋がっていない状態においても電源ＯＮ／ＯＦＦを一括して行うことができると共に、また、コンピュータ機器の電源ＯＮ／ＯＦＦに関わらずコンピュータ機器に関する管理データを一括して処理できるコンピュータ機器一括管理システムを提供することにある。
【課題を解決するための手段】
【００１０】
上記目的を達成するために、請求項１に係る発明は、アンテナとこのアンテナを用いて電磁誘導により非接触通信および電力供給を行う非接触型ＩＣとを備えたコンピュータ機器と、前記コンピュータ機器に対して非接触通信により操作を行うための遠隔操作機器とを備えたコンピュータ機器一括管理システムにおいて、
前記コンピュータ機器は、
前記遠隔操作機器から送信された電源のＯＮ／ＯＦＦを要求する電源要求情報を受信したことに応じて、前記電源要求情報に付加された前記遠隔操作機器を識別するための操作識別情報に基づいて、前記遠隔操作機器が前記コンピュータ機器の電源のＯＮ／ＯＦＦ要求に対応しているか否かを判定する要求判定手段と、
前記要求判定手段が、前記遠隔操作機器が前記コンピュータ機器の電源のＯＮ／ＯＦＦ要求に対応していると判定した場合に、前記電源要求情報に従って、前記コンピュータ機器の電源のＯＮ／ＯＦＦ制御を行う電源制御手段と、
前記アンテナを通して外部から電力供給を受ける電力供給部と、
前記遠隔操作機器から送信された前記コンピュータ機器の電源管理に関する管理データを要求する管理要求情報に応じて、前記コンピュータ機器の電源のＯＮ／ＯＦＦ状態を判定する電源判定手段と、
前記電源判定手段が、前記コンピュータ機器の電源がＯＦＦ状態と判定した場合に、前記電力供給部が受けた電力を用いて前記管理データを前記遠隔操作機器に送信する管理送信手段とを備えたことを特徴とする。
【００１１】
また、請求項２に係る発明は、上述のコンピュータ機器一括管理システムにおいて、
前記コンピュータ機器は、
前記電源制御手段が前記コンピュータ機器の電源をＯＦＦ状態とする際に、このＯＦＦ状態を通知するＯＦＦ通知情報を前記遠隔操作機器に送信するＯＦＦ通知手段を備え、
前記遠隔操作機器は、
前記コンピュータ機器から送信されたＯＦＦ通知情報に基づいて、電源がＯＦＦ状態となっているコンピュータ機器に対して電源のＯＮを要求する旨の電源要求情報を送信するＯＮ送信手段とを備えたことを特徴とする。
【発明の効果】
【００１２】
本発明にかかるコンピュータ一括管理システムによれば、コンピュータ機器が通信ネットワークに繋がっていない状態においても電源ＯＮ／ＯＦＦを一括して行うことができると共に、また、コンピュータ機器の電源ＯＮ／ＯＦＦに関わらずコンピュータ機器に関する管理データを一括して処理できるという効果がある。
【００１３】
請求項１にかかるコンピュータ一括管理システムにおいては、コンピュータ機器が、電源制御手段により、遠隔操作機器から送信された電源のＯＮ／ＯＦＦを要求する電源要求情報に従って、コンピュータ機器の電源のＯＮ／ＯＦＦ制御を行うので、コンピュータ機器が情報の送受信が可能な通信のネットワークに繋がっていない状態においても電源ON/OFFを一括して行うことができ、管理対象機器が多数存在する環境でのシステム管理者のコンピュータ機器管理の負担を大幅に低減することが可能となる。
【００１４】
また、電源制御手段がコンピュータ機器の電源をＯＦＦ状態とする場合に、コンピュータ機器の電源がＯＦＦ状態のときに、遠隔操作機器から送信された管理データを要求する管理要求情報に応じて、管理送信手段が、電力供給手段が受けた電力を用いて管理データを遠隔操作機器に送信するので、コンピュータ機器の電源がＯＦＦの状態にあっても、管理データを一括して取得することができ、システム管理者の負担を低減することが可能となる。
【００１５】
請求項２にかかるコンピュータ一括管理システムにおいては、遠隔操作機器が、ＯＮ送信手段によりコンピュータ機器から送信されたＯＦＦ通知情報に基づいて、電源がＯＦＦ状態となっているコンピュータ機器に対して電源のＯＮを要求する旨の電源要求情報を送信するので、電源がＯＦＦ状態となっているコンピュータ機器のみに対して適切に電源をＯＮとする制御を一括して行うことができる。
【発明を実施するための最良の形態】
【００１６】
以下、本発明を適用したコンピュータ機器一括管理システムの最良の形態について図面を用いて説明する。図１は、本発明の実施の形態におけるコンピュータ機器一括管理システム１０のシステム構成を示す説明図である。このコンピュータ機器一括管理システム１０では、電磁誘導により非接触通信および電力供給を行うことが可能な非接触型ＩＣ（Integrated
Circuit）を備えた遠隔操作機器等のリーダライタ１と、同様の非接触型ＩＣを備えたコンピュータ機器１ａ、１ｂ、１ｎとからの構成となっている。
【００１７】
図２は、コンピュータ機器１ａ、１ｂ、１ｎの構成例を示すブロック図である。コンピュータ機器１ａ、１ｂ、１ｎは、例えばパーソナルコンピュータやワークステーションに相当し、リーダライタ１と電磁誘導により非接触通信でデータや情報をやり取りすると共にリーダライタ１等により外部から取り込んで電力供給を行うことが可能な非接触型IC部２１と、ハードディスク２５に格納されている制御プログラムをメモリ２３に展開し非接触型ＩＣ部２１を含む全体の動作を制御やデータや情報を用いた各種の処理を実行するＣＰＵ（Central
Processing Unit）２２と、コンセント等の外部電源により外部から電力を得てコンピュータ機器１ａ、１ｂ、１ｎに電力供給を行い電源のＯＮ／ＯＦＦ状態の管理や制御を行う電源制御部２４と、ＣＰＵ（Central
Processing Unit）２２が実行した処理等の出力結果を表示するディスプレイ装置２６とから構成されている。
【００１８】
ここで、ハードディスク２５は、図３に示す管理データを記憶している。管理データは、図３に示すように、各コンピュータ機器１ａ、１ｂ、１ｎ毎に備えている非接触型IC部２１を識別するためのＩＣ識別ＩＤ３１と、各コンピュータ機器１ａ、１ｂ、１ｎ毎で情報やデータを受信して処理を行う対応が可能な対応機種のリーダライタ１を識別する識別情報を示すリーダライタ識別ＩＤ３２と、各コンピュータ機器１ａ、１ｂ、１ｎ毎でのユーザを示すユーザ名３３と、各コンピュータ機器１ａ、１ｂ、１ｎ毎の機種等を示すマシン名３４と、各コンピュータ機器１ａ、１ｂ、１ｎが接続された公衆回線やＬＡＮ等のネットワーク上のアドレスを示すＩＰアドレス３５と、リーダライタ１から送信された要求情報に従って電源をＯＦＦ状態とすることが可能か否かを示す電源ＯＦＦ要求受入フラグ３６との各データから構成されている。
【００１９】
この管理データは、図１に示すコンピュータ機器一括管理システム１０のシステム構成が変更される場合にシステム管理者やコンピュータユーザによって変更される。しかし、ＩＣ識別ＩＤ３１、リーダライタ識別ＩＤ３２については、システム構成の変更に関わらず各リーダライタ１やコンピュータ機器１ａ、１ｂ、１ｎ毎で備えている非接触型ＩＣ部２１固有の識別情報であるため、初期設定後の変更は不可能となっている。また、これらの管理データは一例であり、必要に応じて項目を増減することが可能である。
【００２０】
ここで例えば、システム管理者やコンピュータユーザが管理データを更新した場合、図３に示すように、ＩＣ識別ＩＤ３１として「１２３４５６７８」、リーダライタ識別ＩＤ３２として「ａｂｃｄｅｆｇｈ」、ユーザ名３３として「日立  太郎」、マシン名３４として「マシンａ」、ＩＰアドレス３５として「１９２．１６８.１００．１」、電源ＯＦＦ要求受付フラグ３６として「ＯＫ」等の情報が管理データに登録される。
【００２１】
図４は、図２に示す各コンピュータ機器１ａ、１ｂ、１ｎ毎で備えている非接触型ＩＣ部２１の構成例を示すブロック図である。すなわち、非接触型ＩＣ部２１は、リーダライタ１等により外部から非接触通信でデータや情報を送受信すると共に電力を取り込むアンテナ４６と、このアンテナ４６からデータや情報、電力供給等が可能に電気的に接続されたＩＣチップ４１とから構成され、電磁誘導を利用して、近接されたリーダライタ1との間で非接触の通信を行う。これは、非接触型ICカード等の構成に相当する。
【００２２】
ＩＣチップ４１はＣＰＵ４２を備えており、ＣＰＵ４２は、ＲＯＭ(Read Only
Memory)４４に格納されている制御プログラムをＲＡＭ(Random Access
Memory)４３に展開し、ＩＣチップ４１全体の動作を制御する機能を有する。例えば、リーダライタ1から送信されてくる情報をメモリ４５に記憶したり、この情報に従ってコンピュータ機器１ａ、１ｂ、１ｎに対して各種の処理を実行する。
【００２３】
ＩＣチップ４１は、アンテナ４６を通してリーダライタ1と電波で電力の供給のやりとりをするため、コンピュータ機器１ａ、１ｂ、１ｎの電源ＯＦＦ時にも独立して動作することが可能である。メモリ４５は、例えば、ＥＥＰＲＯＭ(Electrically
Erasable and Programmable Read Only Memory)であり、ＣＰＵ４２の処理によってハードディスク２５に保存されている管理データも記憶する機能を有する。
【００２４】
続いて、本実施の形態におけるコンピュータ機器一括管理システム１０の動作について説明する。まず、図５に示すフローチャートを用いてコンピュータ機器の電源ＯＦＦ処理について説明する。まず、リーダライタ１がコンピュータ機器１ａ、１ｂ、１ｎに向けて電源のＯＦＦを要求する電源ＯＦＦ要求を非接触通信で送信すると、コンピュータ機器１ａ、１ｂ、１ｎは、非接触型ＩＣ部２１のアンテナ４６により電源ＯＦＦ要求を受信する（ステップ５０１）。
【００２５】
次に、コンピュータ機器１ａ、１ｂ、１ｎは、非接触型ＩＣ部２１により電源制御部２４のコンピュータ機器１ａ、１ｂ、１ｎへの電力供給状態を確認することにより、コンピュータ機器１ａ、１ｂ、１ｎの電源がＯＮ状態であるか否かを判定する処理を行う（ステップ５０２）。電源がＯＦＦ状態であった場合には（ステップ５０２のＮＯ）、電源ＯＦＦ要求を無視して処理を終了する。
【００２６】
次に、コンピュータ機器１ａ、１ｂ、１ｎは、コンピュータ機器１ａ、１ｂ、１ｎの電源がＯＮ状態であった場合には（ステップ５０２のＹＥＳ）、電源ＯＦＦ要求を送信したリーダライタ１が、コンピュータ機器１ａ、１ｂ、１ｎで電源の処理を行い対応している機器であるか否かを判定する処理を行う（ステップ５０３）。電源ＯＦＦ要求に付加され、これと共に受信したリーダライタ識別ＩＤに基づいて、ハードディスク２５に保存されている管理データ内のリーダライタ識別ＩＤ３２とを比較する処理を行い（ステップ５０３）、受信したリーダライタ識別ＩＤとリーダライタ識別ＩＤ３２とが一致しない場合には（ステップ５０３のＮＯ）、対応しない機器であると判定し、電源ＯＦＦ要求を無視して処理を終了する。
【００２７】
次に、コンピュータ機器１ａ、１ｂ、１ｎは、受信したリーダライタ識別ＩＤとリーダライタ識別ＩＤ３２とが一致する場合には（ステップ５０３のＹＥＳ）、対応する機器であると判定し、電源ＯＦＦ要求を受信したコンピュータ機器１ａ、１ｂ、１ｎがその電源ＯＦＦの要求を受け入れ可能な状態であるか否かを判定する処理を行う（ステップ５０４）。ハードディスク２５の管理データ内の電源ＯＦＦ要求受入フラグ３６の情報を参照し、この電源ＯＦＦ要求受入フラグ３６がＯＦＦとなっており、受け入れ不可能であるならば（ステップ５０４のＮＯ）、電源ＯＦＦ要求を無視して処理を終了する。この電源ＯＦＦ受入フラグ３６の受け入れ可能・不可能の設定は、あらかじめシステム管理者が初期設定として行っておき、コンピュータ機器１ａ、１ｂ、１ｎがプログラムやアプリケーションの処理の実行中であり電源をＯＦＦとすることができない等の場合には、受け入れ不可能の設定等を行う。この電源ＯＦＦ受入フラグ３６の設定で、コンピュータ機器１ａ、１ｂ、１ｎが無条件に電源ＯＦＦされてしまうことを防ぐようになっている。
【００２８】
次に、コンピュータ機器１ａ、１ｂ、１ｎは、電源ＯＦＦ要求受入フラグ３６がＯＮとなっており、受け入れ可能な場合には（ステップ５０４のＹＥＳ）、非接触型ＩＣ部２１内のメモリ４５にハードディスク２５の管理データを記憶する処理を行う（ステップ５０５）。これにより、コンピュータ機器１ａ、１ｂ、１ｎが電源ＯＦＦ状態にあっても、非接触型ＩＣ部２１がリーダライタ１から電力供給を受け独立して動作し、管理データをリーダライタ１側に取り出すことを可能にするようになっている。メモリ４５に記憶した管理データは、システム管理者やコンピュータユーザがコンピュータ機器１ａ、１ｂ、１ｎの電源ボタンを押下することによりＯＦＦ状態とするなどして、電源制御部２４に対して直接電源ＯＦＦ操作を行った場合にも、メモリ４５にハードディスク２５の管理データを記憶する処理を行って更新するようになっている。
【００２９】
次に、コンピュータ機器１ａ、１ｂ、１ｎは、電源をＯＮからＯＦＦ状態に変更したことを、コンピュータ機器１ａ、１ｂ、１ｎがメモリ４５のＩＣ識別ＩＤ３１と共にリーダライタ１に通知する処理を行う（ステップ５０６）。非接触型ＩＣ部２１が、コンピュータ機器１ａ、１ｂ、１ｎの電源のＯＦＦ状態を通知するＯＦＦ通知情報を、メモリ４５のＩＣ識別ＩＤ３１と共にアンテナ４６を通してリーダライタ１に送信する。これにより、電源をＯＦＦ状態としたコンピュータ機器１ａ、１ｂ、１ｎを示す情報をリーダライタ１が記憶し把握可能となる。
【００３０】
次に、コンピュータ機器１ａ、１ｂ、１ｎは、非接触型ＩＣ部２１のＩＣチップ４１がＣＰＵ２２に電源ＯＦＦ信号を送信することにより、コンピュータ機器１ａ、１ｂ、１ｎの電源をＯＦＦ状態とする処理を行う（ステップ５０７）。コンピュータ機器１ａ、１ｂ、１ｎの電源ＯＦＦは、ＣＰＵ２２が信号を受信した契機やタイミングでコンピュータ機器１ａ、１ｂ、１ｎをシャットダウンさせるシェルスクリプトを実行するなどの手順で行う。しかし、正しい手段での電源ＯＦＦを導くものであれば、この手順に限定するものではない。
【００３１】
以上のようにして、リーダライタ１を用いてコンピュータ機器１ａ、１ｂ、１ｎを一括して電源ＯＦＦすることが可能である。コンピュータ機器１ａ、１ｂ、１ｎは、以上の処理を電源ＯＦＦ要求を受信する度に実行する。
【００３２】
続いて、図６に示すフローチャートを用いてコンピュータ機器の電源ＯＮ処理について説明する。まず、リーダライタ１がコンピュータ機器１ａ、１ｂ、１ｎに向けて電源のＯＮを要求する電源ＯＮ要求を非接触通信で送信すると、コンピュータ機器１ａ、１ｂ、１ｎは、非接触型ＩＣ部２１のアンテナ４６により電源ＯＮ要求を受信する（ステップ６０１）。
【００３３】
次に、コンピュータ機器１ａ、１ｂ、１ｎは、非接触型ＩＣ部２１により電源制御部２４のコンピュータ機器１ａ、１ｂ、１ｎへの電力供給状態を確認することにより、コンピュータ機器１ａ、１ｂ、１ｎの電源がＯＦＦ状態であるか否かを判定する処理を行う（ステップ６０２）。電源がＯＮ状態であった場合には（ステップ６０２のＮＯ）、電源ＯＮ要求を無視して処理を終了する。
【００３４】
次に、コンピュータ機器１ａ、１ｂ、１ｎは、コンピュータ機器１ａ、１ｂ、１ｎの電源がＯＦＦ状態であった場合には（ステップ６０２のＹＥＳ）、電源ＯＮ要求を送信したリーダライタ１が、コンピュータ機器１ａ、１ｂ、１ｎで電源の処理を行い対応している機器であるか否かを判定する処理を行う（ステップ６０３）。電源ＯＮ要求に付加され、これと共に受信したリーダライタ識別ＩＤに基づいて、ハードディスク２５に保存されている管理データ内のリーダライタ識別ＩＤ３２とを比較する処理を行い、受信したリーダライタ識別ＩＤとリーダライタ識別ＩＤ３２とが一致しない場合には（ステップ６０３のＮＯ）、対応しない機器であると判定し、電源ＯＮ要求を無視して処理を終了する。
【００３５】
次に、コンピュータ機器１ａ、１ｂ、１ｎは、受信したリーダライタ識別ＩＤとリーダライタ識別ＩＤ３２とが一致する場合には（ステップ６０３のＹＥＳ）、対応する機器であると判定し、非接触型ＩＣ部２１のＩＣチップ４１が電源制御部２４に電源ＯＮ信号を送信することにより、コンピュータ機器１ａ、１ｂ、１ｎの電源をＯＮ状態とする処理を行う（ステップ６０４）。そして、電源制御部２４が外部から得た電力をコンピュータ機器１ａ、１ｂ、１ｎに供給して電源ＯＮ状態とする。コンピュータ機器１ａ、１ｂ、１ｎは、以上の処理を電源ＯＮ要求を受信する度に実行する。
【００３６】
続いて、図７に示すフローチャートを用いて選択的に実行されるコンピュータ機器の電源ＯＮ処理について説明する。まず、リーダライタ１は、システム管理者が電源ＯＮ要求を行うコンピュータ機器を選択するか否かを判定させるための処理を行う（ステップ７０１）。例えば、リーダライタ１の操作画面上に、コンピュータ機器一括管理システム１０のシステム構築時にリーダライタ１に電源ＯＮ要求の非接触通信の送信対象として登録済みの全てのコンピュータ機器１ａ、１ｂ、１ｎのマシン名のリストを表示し、電源ＯＮ要求を行うコンピュータ機器を選択するか否かを判定させるメッセージを表示する。
【００３７】
次に、リーダライタ１は、システム管理者がこの操作画面上のメッセージに従い選択する場合には（ステップ７０１のＹＥＳ）、システム管理者がリーダライタ１に登録されたコンピュータ機器１ａ、１ｂ、１ｎのマシン名のうち電源ＯＮ要求を送信する対象として選択したコンピュータ機器に対して、電源ＯＮ要求を送信する（ステップ７０２）。
【００３８】
次に、リーダライタ１は、まだ電源ＯＮ要求を送信したいコンピュータ機器が存在するかシステム管理者に判定させる処理を行う（ステップ７０３）。例えば、リーダライタ１の操作画面上に、いまだ電源ＯＮ要求を送信していないコンピュータ機器１ａ、１ｂ、１ｎのマシン名のリストを表示し、電源ＯＮ要求を行うコンピュータ機器を選択するか否かを判定させるメッセージを表示する。システム管理者がこの操作画面上のメッセージに従い選択する場合には（ステップ７０３のＹＥＳ）、再度ステップ７０２の処理を繰り返し実行する。システム管理者が選択しない場合には（ステップ７０３のＮＯ）、処理を終了する。
【００３９】
次に、リーダライタ１は、ステップ７０１において、システム管理者が操作画面上のメッセージに従い選択しない場合には（ステップ７０１のＮＯ）、現時点でコンピュータ機器の電源ＯＦＦ処理によって電源ＯＦＦ状態としたコンピュータ機器のみを電源ＯＮ状態とするか否かをシステム管理者に判定させるための処理を行う（ステップ７０４）。例えば、リーダライタ１の操作画面上に、現時点でコンピュータ機器の電源ＯＦＦ処理によって電源ＯＦＦ状態としたコンピュータ機器のマシン名のリストを表示し、これらのコンピュータ機器のみを電源ＯＮ状態とするか否かを判定させるメッセージを表示する。
【００４０】
次に、リーダライタ１は、システム管理者がこの操作画面上のメッセージに従い電源ＯＦＦ状態としたコンピュータ機器のみを電源ＯＮ状態とする場合には（ステップ７０４のＹＥＳ）、現時点でコンピュータ機器の電源ＯＦＦ処理によって電源ＯＦＦ状態としたコンピュータ機器のみに順次電源ＯＮ要求を送信する処理を行う（ステップ７０５）。コンピュータ機器の電源ＯＦＦ処理のステップ５０６において、コンピュータ機器から送信され記憶していたＯＦＦ通知情報およびＩＣ識別ＩＤ３１の情報をすべて参照し、これらのＩＣ識別ＩＤ３１に該当するコンピュータ機器に対してのみ順次電源ＯＮ要求を送信する処理を行う。これにより、例えば、計画停電前に電源ＯＦＦしたコンピュータ機器だけを計画停電後電源ＯＮすることが可能となる。
【００４１】
次に、リーダライタ１は、システム管理者がこの操作画面上のメッセージに従い電源ＯＦＦ状態としたコンピュータ機器のみを電源ＯＮ状態としない場合には（ステップ７０４のＮＯ）、コンピュータ機器一括管理システム１０のシステム構築時にリーダライタ１に電源ＯＮ要求の非接触通信の送信対象として登録済みの全てのコンピュータ機器１ａ、１ｂ、１ｎに順次電源ＯＮ要求を送信する処理を行う（ステップ７０６）。以上により、コンピュータ機器を選択的に一括して電源ＯＮ状態とすることが可能である。
【００４２】
続いて、図８に示すフローチャートを用いてコンピュータ機器の管理データ取得処理について説明する。まず、リーダライタ１がコンピュータ機器１ａ、１ｂ、１ｎに向けて管理データの取得を要求するデータ管理取得要求を非接触通信で送信すると、コンピュータ機器１ａ、１ｂ、１ｎは、非接触型ＩＣ部２１のアンテナ４６により管理データ取得要求を受信する（ステップ８０１）。
【００４３】
次に、コンピュータ機器１ａ、１ｂ、１ｎは、データ管理取得要求を送信したリーダライタ１が、コンピュータ機器１ａ、１ｂ、１ｎで管理データ取得のための処理を行い対応している機器であるか否かを判定する処理を行う（ステップ８０２）。管理データ取得要求に付加され、これと共に受信したリーダライタ識別ＩＤに基づいて、非接触型ＩＣ部２１のメモリ４５の管理データ内のリーダライタ識別ＩＤ３２とを比較する処理を行い、受信したリーダライタ識別ＩＤとリーダライタ識別ＩＤ３２とが一致しない場合には（ステップ８０２のＮＯ）、対応しない機器であると判定し、管理データ取得要求を無視して処理を終了する。
【００４４】
次に、コンピュータ機器１ａ、１ｂ、１ｎは、受信したリーダライタ識別ＩＤとリーダライタ識別ＩＤ３２とが一致する場合には（ステップ８０２のＹＥＳ）、非接触型ＩＣ部２１により電源制御部２４のコンピュータ機器１ａ、１ｂ、１ｎへの電力供給状態を確認することにより、コンピュータ機器１ａ、１ｂ、１ｎの電源がＯＮ状態であるか否かを判定する処理を行う（ステップ８０３）。
【００４５】
次に、コンピュータ機器１ａ、１ｂ、１ｎは、コンピュータ機器１ａ、１ｂ、１ｎの電源がＯＮ状態であった場合には（ステップ８０３のＹＥＳ）、非接触型ＩＣ部２１が、ハードディスク２５から管理データを読み出しアンテナ４６を通してリーダライタ１に送信する（ステップ８０４）。
【００４６】
次に、コンピュータ機器１ａ、１ｂ、１ｎは、コンピュータ機器１ａ、１ｂ、１ｎの電源がＯＦＦ状態であった場合には（ステップ８０３のＮＯ）、非接触型ＩＣ部２１が、ＩＣチップ４１内のメモリ４５から管理データを読み出しアンテナ４６を通してリーダライタ１に送信する（ステップ８０５）。ここで、メモリ４５の管理データは、コンピュータ機器１ａ、１ｂ、１ｎを電源ＯＦＦする際に、上述のステップ５０５において常に更新して記憶してあるので、リーダライタ１側では常に最新の管理データを取得できる。
【００４７】
以上のように、本実施の形態のコンピュータ機器一括管理システム１０においては、リーダライタ１から電源ＯＮ／ＯＦＦ要求を非接触通信で送信されると、コンピュータ機器１ａ、１ｂ、１ｎは、非接触型ＩＣ部２１のアンテナ４６により電源がＯＮ／ＯＦＦ状態であるか否かを判定し、次に、リーダライタ１が、コンピュータ機器１ａ、１ｂ、１ｎで対応している機器であるか否かを判定して、電源制御部２４に電源ＯＮ／ＯＦＦ信号を送信することにより、電源をＯＮ／ＯＦＦ状態とする。
【００４８】
このため、各コンピュータ機器１ａ、１ｂ、１ｎがＬＡＮや公衆回線等のネットワークに繋がっていない状態においても、リーダライタ１からの非接触通信によって電源ＯＮ／ＯＦＦを一括して行うことができる。各コンピュータ機器１ａ、１ｂ、１ｎ等の管理対象となるコンピュータ機器が多数存在する環境において、各コンピュータ機器１ａ、１ｂ、１ｎ毎にその都度作業する手間が少なくなり、システム管理者のコンピュータ機器管理の負担を大幅に低減することが可能となる。
【００４９】
また、リーダライタ１からデータ管理取得要求が非接触通信で送信されると、コンピュータ機器１ａ、１ｂ、１ｎは、電源がＯＮ状態であるか否かを判定し、電源がＯＮ状態であった場合にはハードディスク２５から管理データを読み出しリーダライタ１に送信する。電源がＯＦＦ状態であった場合にはＩＣチップ４１内のメモリ４５から管理データを読み出しリーダライタ１に送信する。
【００５０】
このため、各コンピュータ機器１ａ、１ｂ、１ｎの電源のＯＮ／ＯＦＦ状態に関わらずコンピュータ機器に関する管理データを一括して処理でき、コンピュータ機器１ａ、１ｂ、１ｎの電源がＯＦＦ状態にあっても、電源を一旦ＯＮ状態とする等の作業の手間がなくなって、管理データを一括して取得することができ、システム管理者の負担を低減することが可能となる。
【００５１】
更に、リーダライタ１は、現時点でコンピュータ機器の電源ＯＦＦ処理によって電源ＯＦＦ状態としたコンピュータ機器のみを電源ＯＮ状態とするか否かをシステム管理者に判定させるための処理を行い、電源ＯＦＦ状態としたコンピュータ機器のみを電源ＯＮ状態とする場合には、コンピュータ機器の電源ＯＦＦ処理において、コンピュータ機器から送信され記憶していたＯＦＦ通知情報およびＩＣ識別ＩＤ３１の情報に基づいて、電源ＯＦＦ状態としたコンピュータ機器に対してのみ順次電源ＯＮ要求を送信する処理を行う。このため、電源がＯＦＦ状態となっているコンピュータ機器のみに対して適切に電源をＯＮとし、コンピュータ機器の制御を選択的に一括して行うことができる。
【００５２】
（他の実施の形態）
上述の実施の形態において、非接触型ＩＣ部２１は、各コンピュータ機器１ａ、１ｂ、１ｎ内部に設けられているのではなく、周辺機器等を用いて外部に接続されて取り付けられていても良い。
【００５３】
上述の実施の形態において、遠隔操作機器としてリーダライタ１を用いたが電磁誘導により各コンピュータ機器１ａ、１ｂ、１ｎに対して、非接触通信および電力供給を行うことが可能な非接触型ＩＣを備えるものであれば、他の機器であってもよい。
【００５４】
上述の実施の形態において、非接触型ＩＣ部２１を備えた各コンピュータ機器１ａ、１ｂ、１ｎを一括管理の対象としていたが、これに限られず、非接触型ＩＣ部２１と同様のものを備えていれば、サーバ機器や各種の電子機器についても一括管理の対象として用いても良い。
【００５５】
上述の実施の形態においては、ＯＦＦ通知情報およびＩＣ識別ＩＤ３１が送信されたコンピュータ機器に対してのみ電源ＯＮ要求を送信する処理を行ったが、電源ＯＦＦ要求を送信する際には、ＯＦＦ通知情報およびＩＣ識別ＩＤ３１が送信されていないコンピュータ機器に対してのみ、コンピュータ機器の電源ＯＦＦ処理を行い、電源ＯＦＦ要求を送信することとしてもよい。
【図面の簡単な説明】
【００５６】
【図１】本実施の形態におけるコンピュータ機器一括管理システムの全体構成を示すシステム構成図である。
【図２】本実施の形態におけるコンピュータ機器一括管理システムのコンピュータ機器の構成例を示すブロック図である。
【図３】本実施の形態におけるコンピュータ機器一括管理システムの管理データの構成を示す説明図である。
【図４】本実施の形態におけるコンピュータ機器一括管理システムの非接触型ＩＣ部の構成例を示すブロック図である。
【図５】本実施の形態におけるコンピュータ機器一括管理システムのコンピュータ機器の電源ＯＦＦ処理の概要を示すフローチャートである。
【図６】本実施の形態におけるコンピュータ機器一括管理システムのコンピュータ機器の電源ＯＮ処理の概要を示すフローチャートである。
【図７】本実施の形態におけるコンピュータ機器一括管理システムのリーダライタの電源ＯＮ要求処理の概要を示すフローチャートである。
【図８】本実施の形態におけるコンピュータ機器一括管理システムのコンピュータ機器の管理データ取得処理の概要を示すフローチャートである。
【符号の説明】
【００５７】
１  リーダライタ
１ａ、１ｂ、１ｎ  コンピュータ機器
２１  非接触型ＩＣ部
２２  ＣＰＵ
２３  メモリ
２４  電源制御部
２５  ハードディスク
２６  ディスプレイ装置
４１  ＩＣチップ
４２  ＣＰＵ
４３  ＲＡＭ
４４  ＲＯＭ
４５  メモリ
４６  アンテナ
【図１】
2007148967.tif 000003
【図２】
2007148967.tif 000004
【図３】
2007148967.tif 000005
【図４】
2007148967.tif 000006
【図５】
2007148967.tif 000007
【図６】
2007148967.tif 000008
【図７】
2007148967.tif 000009
【図８】
2007148967.tif 000010